(57)【特許請求の範囲】
【請求項１】
所定の拡散コードを用いて拡散処理された信号を無線送信する送信回路と、
前記拡散処理された信号を無線受信する受信回路と
を備える無線通信装置であって、
前記受信回路は、
前記送信回路から前記受信回路への廻り込み信号から該受信回路内で生成される歪成分を、該受信回路において無線受信される受信信号から除去する歪成分補償回路を有し、
前記歪成分補償回路は、
前記送信回路において生成される送信用の信号から該信号のｎ乗成分（ｎは偶数）を生成するｎ乗回路と、
第１の調整回路、第２の調整回路及び制御回路を有して、前記ｎ乗回路により生成される前記ｎ乗成分を整形する整形回路と、
前記整形回路による整形後の前記ｎ乗成分を前記受信信号から減算する減算回路と
を有し、
前記第１の調整回路は、前記ｎ乗成分の振幅及び位相を、予め設定されたパラメータに基づいて調整し、
前記第２の調整回路は、前記第１の調整回路から出力される調整後のｎ乗成分の振幅及び位相を調整する調整処理と、この調整後のｎ乗成分を遅延させて出力する遅延処理とを、前記制御回路からの制御信号に基づいて行い、
前記制御回路は、前記拡散コードと、前記減算回路によって前記ｎ乗成分を減算する前の前記受信信号及び前記減算回路によって前記ｎ乗成分を減算した後の信号のいずれか一方と、に基づいて前記制御信号を生成し、この生成した制御信号を前記第２の調整回路に出力する、
ことを特徴とする無線通信装置。
【請求項２】
所定の拡散コードを用いて拡散処理された信号を無線送信する送信回路と、
前記拡散処理された信号を無線受信する受信回路と
を備える無線通信装置であって、
前記受信回路は、
前記送信回路から前記受信回路への廻り込み信号から該受信回路内で生成される歪成分を、該受信回路において無線受信される受信信号から除去する歪成分補償回路を有し、
前記歪成分補償回路は、
前記拡散コードを用いて前記受信信号から該受信信号に含まれるｎ乗成分（ｎは偶数）を抽出する抽出回路と、
前記抽出回路により抽出された前記ｎ乗成分を所定時間だけ遅延させて出力する遅延回路と、
前記遅延回路から出力される前記ｎ乗成分を前記受信信号から減算する減算回路と
を有する、ことを特徴とする無線通信装置。
【発明の詳細な説明】
【技術分野】
【０００１】
本発明は、無線通信装置に関する。
【背景技術】
【０００２】
送信回路と受信回路とを備えた無線通信装置の一例が特許文献１開示されている。特許文献１に記載の送受信回路は、複数のアンテナを用いてＣＤＭＡ無線システムの順方向リンクに生じるフェーディングを除去する機能を有している。
【特許文献１】特表２００１−５１３９６９号公報
【発明の開示】
【発明が解決しようとする課題】
【０００３】
しかし、上述のような一の装置（例えば同一筐体内）に送信回路と受信回路とが備わっている場合、送信回路のアンテナと受信回路のアンテナとが比較的近い距離に設けられる。このため、比較的強い電波が送信回路のアンテナから受信回路のアンテナに回り込む場合がある。受信回路のアンテナを介して受信されるこのような電波が受信回路のアンプ（ＬＮＡ等）（LNA : Low Noise Amplifier）やミキサ等により処理される時、これらのアンプやミキサ等の有する非線形特性によって歪信号が生成され、受信回路のＬＰＦからは、この歪信号に含まれる２次や４次等の偶数次の歪信号が出力される。このように、送信回路と受信回路とを備えた無線通信装置では、受信回路により受信される受信信号の品質劣化が引き起こされる。
【０００４】
そこで本発明は、送信回路と受信回路とを備えた無線通信装置において、受信回路により受信される受信信号の品質を向上させることを目的とする。
【課題を解決するための手段】
【０００５】
本発明は、所定の拡散コードを用いて拡散処理された信号を無線送信する送信回路と、上記拡散処理された信号を無線受信する受信回路とを備える無線通信装置であって、上記受信回路は、上記送信回路から上記受信回路への廻り込み信号から該受信回路内で生成される歪成分を、該受信回路において無線受信される受信信号から除去する歪成分補償回路を有し、上記歪成分補償回路は、上記送信回路において生成される送信用の信号から該信号のｎ乗成分（ｎは偶数）を生成するｎ乗回路と、第１の調整回路、第２の調整回路及び制御回路を有して、上記ｎ乗回路により生成される上記ｎ乗成分を整形する整形回路と、上記整形回路による整形後の上記ｎ乗成分を上記受信信号から減算する減算回路とを有し、上記第１の調整回路は、上記ｎ乗成分の振幅及び位相を、予め設定されたパラメータに基づいて調整し、上記第２の調整回路は、上記第１の調整回路から出力される調整後のｎ乗成分の振幅及び位相を調整する調整処理と、この調整後のｎ乗成分を遅延させて出力する遅延処理とを、上記制御回路からの制御信号に基づいて行い、上記制御回路は、上記拡散コードと、上記減算回路によって上記ｎ乗成分を減算する前の上記受信信号及び上記減算回路によって上記ｎ乗成分を減算した後の信号のいずれか一方と、に基づいて上記制御信号を生成し、この生成した制御信号を上記第２の調整回路に出力する、ことを特徴とする。
【０００６】
本発明によれば、送信回路から無線送信される所定の拡散コードを用いて拡散処理された送信用の信号からｎ乗成分（ｎ次の歪成分）を生成し、このｎ乗成分を用いて受信信号に含まれる歪成分（送信回路から受信回路への廻り込み信号による歪成分）を除去できる。よって、送信回路と受信回路とを備えた無線通信装置において、受信回路により受信される受信信号の品質劣化が抑制できる。更に、送信回路のアンテナと受信回路のアンテナとを、送信回路から送信される信号が受信回路により受信されないように配置する必要がないので、送信回路のアンテナと受信回路のアンテナの配置が柔軟に行える。更に、高次の歪成分が生じないようなアンプやミキサを備える必要がないので、アンプやミキサ等の製造に要するコストが抑制できる。
【０００７】
更に、本発明では、上記整形回路は、第１の調整回路、第２の調整回路及び制御回路を有しており、上記第１の調整回路は、予め設定されたパラメータに基づいて、上記ｎ乗成分の振幅及び位相を調整すると共に該調整後のｎ乗成分を所定時間だけ遅延させて出力し、上記第２の調整回路は、上記第１の調整回路から出力される調整後のｎ乗成分の振幅及び位相を調整する調整処理を、上記制御回路からの制御信号に基づいて行い、上記制御回路は、上記制御信号を上記受信信号に基づいて生成し、この生成した制御信号を上記第２の調整回路に出力するのが好ましい。
【０００８】
或いは、本発明では、上記整形回路は、第１の調整回路、第２の調整回路及び制御回路を有しており、上記第１の調整回路は、上記ｎ乗成分の振幅及び位相を、予め設定されたパラメータに基づいて調整し、上記第２の調整回路は、上記第１の調整回路から出力される調整後のｎ乗成分の振幅及び位相を調整する調整処理と、この調整後のｎ乗成分を遅延させて出力する遅延処理とを、上記制御回路からの制御信号に基づいて行い、上記制御回路は、上記制御信号を上記受信信号に基づいて生成し、この生成した制御信号を上記第２の調整回路に出力するのが好ましい。
【０００９】
或いは、本発明では、上記送信回路は、所定の拡散コードを用いて拡散処理された信号を無線送信し、上記受信回路は、上記拡散処理された信号を無線受信し、上記整形回路は、第１の調整回路、第２の調整回路及び制御回路を有しており、上記第１の調整回路は、上記ｎ乗成分の振幅及び位相を、予め設定されたパラメータに基づいて調整し、上記第２の調整回路は、上記第１の調整回路から出力される調整後のｎ乗成分の振幅及び位相を調整する調整処理と、この調整後のｎ乗成分を遅延させて出力する遅延処理とを、上記制御回路からの制御信号に基づいて行い、上記制御回路は、上記制御信号を上記拡散コードと上記受信信号とに基づいて生成し、この生成した制御信号を上記第２の調整回路に出力するのが好ましい。
【００１０】
更に、本発明では、上記受信信号は、上記減算回路に入力する信号又は該減算回路から出力される信号の何れかであるのが好ましい。このように、本発明では、減算回路に入力する受信信号を用いてフィードフォワード制御を行ってもよいし、減算回路から出力される受信信号を用いてフィードバック制御を行ってもよい。
【００１１】
また、本発明は、所定の拡散コードを用いて拡散処理された信号を無線送信する送信回路と、上記拡散処理された信号を無線受信する受信回路とを備える無線通信装置であって、上記受信回路は、上記送信回路から上記受信回路への廻り込み信号から該受信回路内で生成される歪成分を、該受信回路において無線受信される受信信号から除去する歪成分補償回路を有し、上記歪成分補償回路は、上記拡散コードを用いて上記受信信号から該受信信号に含まれるｎ乗成分（ｎは偶数）を抽出する抽出回路と、上記抽出回路により抽出された上記ｎ乗成分を所定時間だけ遅延させて出力する遅延回路と、上記遅延回路から出力される上記ｎ乗成分を上記受信信号から減算する減算回路とを有する、ことを特徴とする。
【００１２】
本発明によれば、送信回路において生成される送信用の信号からｎ乗成分（ｎ次の歪成分）を生成し、このｎ乗成分を用いて受信信号に含まれる歪成分（送信回路から受信回路への廻り込み信号による歪成分）を除去できる。よって、送信回路と受信回路とを備えた無線通信装置において、受信回路により受信される受信信号の品質劣化が抑制できる。更に、送信回路のアンテナと受信回路のアンテナとを、送信回路から送信される信号が受信回路により受信されないように配置する必要がないので、送信回路のアンテナと受信回路のアンテナの配置が柔軟に行える。更に、高次の歪成分が生じないようなアンプやミキサを備える必要がないので、アンプやミキサ等の製造に要するコストが抑制できる。
【発明の効果】
【００１３】
本発明によれば、送信回路と受信回路とを備えた無線通信装置において、受信回路により受信される受信信号の品質向上が可能となる。
【発明を実施するための最良の形態】
【００１４】
以下、図面を参照して、本発明に係る好適な実施形態について詳細に説明する。なお、図面の説明において、可能な場合には、同一要素には同一符号を付し、重複する説明を省略する。図１は、実施形態に係る無線通信装置Ａの構成を示す図である。無線通信装置Ａは、信号を無線送信する送信回路Ａ１と、信号を無線受信する受信回路Ａ２とを備える。送信回路Ａ１は、送信アンテナ１、送信機３、Ｄ／Ａ変換回路５、波形整形フィルタ７及び符号器９を有する。符号器９は、入力される送信データ（デジタルデータ）から、この送信データの同相信号Ｓ１（Ｉ信号）及び直角位相信号Ｓ２（Ｑ信号）を生成し、これらの信号を、波形整形フィルタ７を介してＤ／Ａ変換回路５及び偶次歪成分補償回路８に出力する。
【００１５】
Ｄ／Ａ変換回路５は、波形整形フィルタ７から出力される同相信号Ｓ１及び直角位相信号Ｓ２（デジタル信号）をアナログ信号に変換し、この変換後の同相信号Ｓ１及び直角位相信号Ｓ２を送信機３に出力する。送信機３は、Ｄ／Ａ変換回路５から出力される同相信号Ｓ１及び直角位相信号Ｓ２（アナログ信号）を送信波に重畳して送信信号を生成し、この送信信号を、送信アンテナ１を介して無線通信装置Ａの外部に無線送信する。
【００１６】
受信回路Ａ２は、受信アンテナ２、ダイレクト変換受信機４、Ａ／Ｄ変換回路６、偶次歪成分補償回路８及び識別器１０を有する。ダイレクト変換受信機４は、アンプ４ａ、ミキサ４ｂ及びＬＰＦ４ｃを有する。受信信号（受信回路Ａ２において無線受信された受信信号）が受信アンテナ２を介してダイレクト変換受信機４に入力すると、ダイレクト変換受信機４のアンプ４ａは、この受信信号を増幅する。ミキサ４ｂは、アンプ４ａによって増幅された受信信号に所定周波数ｆｒの信号を乗じて同相信号Ｓ３及び直角位相信号Ｓ４を生成し、これら同相信号Ｓ３及び直角位相信号Ｓ４を、ＬＰＦ４ｃを介してＡ／Ｄ変換回路６に出力する。ＬＰＦ４ｃからはベースバンド帯の同相信号Ｓ３及び直角位相信号Ｓ４が出力される。
【００１７】
ミキサ４ｂから出力される受信信号（同相信号Ｓ３及び直角位相信号Ｓ４）にはダイレクト変換受信機４内のアンプ４ａやミキサ４ｂ等において生成される歪成分が含まれるが、この歪成分のうちｎ次（ｎは、２，４，６等の偶数であり、以下同様）の歪成分（偶次の歪成分）のみがＬＰＦ４ｃを介してＡ／Ｄ変換回路６に出力される。ＬＰＦ４ｃから出力されるｎ次歪成分には、送信アンテナ１から発信され受信アンテナ２を介してダイレクト変換受信機４に入力される受信信号からダイレクト変換受信機４内において生成される歪成分が含まれる。Ａ／Ｄ変換回路６は、ＬＰＦ４ｃから出力される同相信号Ｓ３及び直角位相信号Ｓ４をデジタル信号に変換し、このデジタル化された同相信号Ｓ３及び直角位相信号Ｓ４を偶次歪成分補償回路８に出力する。
【００１８】
偶次歪成分補償回路８は、Ａ／Ｄ変換回路６から出力される同相信号Ｓ３及び直角位相信号Ｓ４に対し、ｎ次歪成分を補償する（除去する）ためのｎ次歪成分補償回路（２次歪成分補償回路８１、４次歪成分補償回路８２及び６次歪成分補償回路８３等の総称）を有する。偶次歪成分補償回路８は、送信回路Ａ１から無線送信され受信回路Ａ２において無線受信された信号（送信回路Ａ１から受信回路Ａ２への廻り込み信号）から受信回路Ａ２内で生成されるｎ次歪成分を、受信回路Ａ２において無線受信される受信信号から除去する。偶次歪成分補償回路８は、ｎ次歪成分の補償後の同相信号Ｓ３及び直角位相信号Ｓ４を識別器１０に出力する。識別器１０は、偶次歪成分補償回路８から出力される同相信号Ｓ３及び直角位相信号Ｓ４から受信データを生成し、後段に出力する。
【００１９】
（第１実施形態）
次に、図２を参照して、ｎ次歪成分補償回路８１ａの構成を説明する。ｎ次歪成分補償回路８１ａは、２次歪成分補償回路８１、４次歪成分補償回路８２及び６次歪成分補償回路８３等である。ｎ次歪成分補償回路８１ａは、ｎ乗器１０１（ｎ乗回路）、整形回路１０２及び減算器１０３（減算回路）を有する。ｎ乗器１０１は、送信回路Ａ１において生成される送信信号（波形整形フィルタ７から出力される同相信号Ｓ１及び直角位相信号Ｓ２）からこれらの信号のｎ次歪成分（ｎ乗成分）を生成する。整形回路１０２は、ｎ乗器１０１により生成されるｎ次歪成分を整形する。減算器１０３は、整形回路１０２による整形後のｎ次歪成分を、ｎ次歪成分補償回路８１ａに入力される受信信号（同相信号Ｓ３及び直角位相信号Ｓ４）から減算する。
【００２０】
整形回路１０２は、調整回路１０４（第１の調整回路）、複素係数器１０５（第２の調整回路）及び制御回路１０６を含む。調整回路１０４は、受信帯域幅制限フィルタ１０７及び遅延回路１０８を含む。受信帯域幅制限フィルタ１０７は、ｎ乗器１０１により生成されるｎ次歪成分（同相信号Ｓ１及び直角位相信号Ｓ２それぞれのｎ次歪成分）の振幅及び位相を、予め設定されたパラメータに基づいて調整する。受信帯域幅制限フィルタ１０７は、ＬＰＦ４ｃと同等の周波数特性を有しており、受信帯域幅制限フィルタ１０７から出力されるｎ次歪成分は、Ａ／Ｄ変換回路６から出力されるｎ次歪成分と同等の信号帯域となる。
【００２１】
遅延回路１０８は、受信帯域幅制限フィルタ１０７によって調整された後のｎ次歪成分を、所定時間（信号が波形整形フィルタ７から出力されてから、送信アンテナ１、受信アンテナ２、ダイレクト変換受信機４及びＡ／Ｄ変換回路６を介してｎ次歪成分補償回路８１ａに入力されるまでの時間に相当）だけ遅延させて出力する。これにより、複素係数器１０５から減算器１０３に入力されるｎ次歪成分の入力タイミングと、Ａ／Ｄ変換回路６から減算器１０３に入力する歪成分（ｎ次歪成分）の入力タイミングとが同様となる。
【００２２】
複素係数器１０５は、調整回路１０４から遅延されて出力されるｎ次歪成分の振幅及び位相を制御回路１０６からの制御信号に基づいて調整し、この調整後のｎ次歪成分を減算器１０３に出力する。以下、振幅及び位相を「複素」と称する場合がある。
【００２３】
制御回路１０６は、受信信号（減算器１０３から出力される同相信号Ｓ３及び直角位相信号Ｓ４）を用いて、調整回路１０４から出力されるｎ次歪成分の振幅及び位相に対する複素係数器１０５の調整処理を制御するための制御信号を生成し、この生成した制御信号を複素係数器１０５に出力する。制御回路１０６は、識別器１０９、減算器１１０、複素相関器１１１及びループフィルタ１１２を含む。識別器１０９及び減算器１１０は、減算器１０３から出力される同相信号Ｓ３及び直角位相信号Ｓ４から、この同相信号Ｓ３及び直角位相信号Ｓ４に含まれるｎ次歪成分を抽出する。複素相関器１１１は、減算器１１０から出力されるｎ次歪成分と、調整回路１０４から出力されるｎ次歪成分との相関量（振幅及び位相についての相関量）を算出し、この相関量を含む制御信号（複素係数器１０５の調整処理を制御するための制御信号）を、ループフィルタ１１２を介して複素係数器１０５に出力する。複素相関器１１１により算出される相関量は、同相信号Ｓ１及び直角位相信号Ｓ２それぞれにおける相関量である。
【００２４】
複素係数器１０５は、複素相関器１１１からループフィルタ１１２を介して入力される制御信号に基づいて、複素係数器１０５から減算器１０３に入力されるｎ次歪成分の振幅及び位相が、Ａ／Ｄ変換回路６から減算器１０３に入力される歪成分（ｎ次歪成分）の振幅及び位相と同様となるように、複素係数器１０５から減算器１０３に入力されるｎ次歪成分の振幅及び位相を調整（フィードバックによる調整）する。
【００２５】
このように、複素係数器１０５から減算器１０３に入力されるｎ次歪成分（同相信号Ｓ１及び直角位相信号Ｓ２）の振幅及び位相と入力タイミングとは、調整回路１０４及び複素係数器１０５による振幅及び位相の調整処理と遅延処理とによって、Ａ／Ｄ変換回路６から減算器１０３に入力される同相信号Ｓ３及び直角位相信号Ｓ４のｎ次歪成分の振幅及び位層と入力タイミングと同様となる。
【００２６】
以上により、第１実施形態において、ｎ次歪成分補償回路８１ａに入力する同相信号Ｓ３及び直角位相信号Ｓ４が、送信アンテナ１から送信され受信アンテナ２を介してダイレクト変換受信機４に入力される受信信号から生成されるｎ次歪成分を含んでいる場合には、この生成されるｎ次歪成分が同相信号Ｓ３及び直角位相信号Ｓ４から除去可能となる。
【００２７】
なお、複素相関器１１１は、識別器１０９及び減算器１１０の機能を有していてもよい。この場合、減算器１０３から出力される同相信号Ｓ３及び直角位相信号Ｓ４は複素相関器１１１に直接入力する構成となる。
【００２８】
（第２実施形態）
無線通信装置Ａは、第１実施形態に係るｎ次歪成分補償回路８１ａに替えて図３に示すｎ次歪成分補償回路８１ｂを用いてもよい。ｎ次歪成分補償回路８１ｂは、２次歪成分補償回路８１、４次歪成分補償回路８２及び６次歪成分補償回路８３等である。ｎ次歪成分補償回路８１ｂは、ｎ乗器１０１、整形回路１１３及び減算器１０３を有する。ｎ乗器１０１は、送信回路Ａ１において生成される送信信号（波形整形フィルタ７から出力される同相信号Ｓ１及び直角位相信号Ｓ２）からこれらの信号のｎ次歪成分（ｎ乗成分）を生成する。整形回路１１３は、ｎ乗器１０１により生成されるｎ次歪成分を整形する。減算器１０３は、整整形回路１１３による整形後のｎ次歪成分を、ｎ次歪成分補償回路８１ｂに入力される受信信号（同相信号Ｓ３及び直角位相信号Ｓ４）から減算する。
【００２９】
整形回路１１３は、調整回路１１４（第１の調整回路）、複素トランスバーサルフィルタ１１５（第２の調整回路）及び制御回路１１６を含む。調整回路１１４は、受信帯域幅制限フィルタ１０７を含む。受信帯域幅制限フィルタ１０７は、ｎ乗器１０１により生成されたｎ次歪成分（同相信号Ｓ１及び直角位相信号Ｓ２それぞれのｎ次歪成分）の振幅及び位相を、予め設定されたパラメータに基づいて調整する。複素トランスバーサルフィルタ１１５は、制御回路１１６の制御に基づいて、調整回路１１４から出力される調整後のｎ次歪成分の振幅及び位相を更に調整すると共にこの更なる調整後のｎ次歪成分を遅延させて減算器１０３に出力する。
【００３０】
制御回路１１６は、受信信号（減算器１０３から出力される同相信号Ｓ３及び直角位相信号Ｓ４）を用いて、調整回路１１４から出力されるｎ次歪成分の振幅及び位相に対する複素トランスバーサルフィルタ１１５の調整処理と、このｎ次歪成分に対する複素トランスバーサルフィルタ１１５の遅延処理とを制御するための制御信号を生成し、この生成した制御信号を複素トランスバーサルフィルタ１１５に出力する。
【００３１】
制御回路１１６は、識別器１０９、減算器１１０、複素トランスバーサル相関器１１７及びタップ係数制御回路１１８を含む。複素トランスバーサル相関器１１７は、減算器１１０から出力されるｎ次歪成分と、調整回路１０４から出力されるｎ次歪成分とのトランスバーサル型の相関量（振幅、位相及び遅延時間についての相関量）を算出してタップ係数制御回路１１８に出力する。複素トランスバーサル相関器１１７により算出される相関量は、同相信号Ｓ１及び直角位相信号Ｓ２それぞれにおける相関量である。タップ係数制御回路１１８は、複素トランスバーサル相関器１１７から入力される相関量に基づいて、複素トランスバーサルフィルタ１１５（複素トランスバーサルフィルタ１１５におけるタップ係数）を制御するための制御パラメータを調整し、この調整後の制御パラメータを含む制御信号（複素トランスバーサルフィルタ１１５の調整処理及び遅延処理を制御するための制御信号）を、複素トランスバーサルフィルタ１１５に出力する。
【００３２】
複素トランスバーサルフィルタ１１５は、タップ係数制御回路１１８からの制御信号に基づいて、複素トランスバーサルフィルタ１１５から減算器１０３に入力されるｎ次歪成分の振幅及び位相と入力タイミングとが、Ａ／Ｄ変換回路６から減算器１０３に入力される歪成分（ｎ次歪成分）の振幅及び位相と入力タイミングと同様となるように、複素トランスバーサルフィルタ１１５から減算器１０３に入力されるｎ次歪成分の振幅及び位相と入力タイミングとを調整する。
【００３３】
このように、複素トランスバーサルフィルタ１１５から減算器１０３に入力されるｎ次歪成分（同相信号Ｓ１及び直角位相信号Ｓ２）の振幅及び位相と入力タイミングとは、調整回路１１４及び複素トランスバーサルフィルタ１１５による振幅及び位相の調整処理と遅延処理とによって、Ａ／Ｄ変換回路６から減算器１０３に入力される同相信号Ｓ３及び直角位相信号Ｓ４のｎ次歪成分の振幅及び位相と入力タイミングと同様となる。
【００３４】
以上により、第２実施形態において、ｎ次歪成分補償回路８１ｂに入力する同相信号Ｓ３及び直角位相信号Ｓ４が、送信アンテナ１から送信され受信アンテナ２を介してダイレクト変換受信機４に入力される受信信号から生成されるｎ次歪成分を含んでいる場合には、この生成されるｎ次歪成分が同相信号Ｓ３及び直角位相信号Ｓ４から除去可能となる。また、複素トランスバーサルフィルタ１１５は、トランスバーサル型の相関量を用いて調整回路１１４から出力されるｎ次歪成分を調整するので、ｎ次歪成分の振幅及び位相の調整に加えて、減算器１０３へのｎ次歪成分の入力タイミングの調整が受信信号（同相信号Ｓ３及び直角位相信号Ｓ４）に基づいて行える。
【００３５】
なお、複素トランスバーサル相関器１１７は、識別器１０９及び減算器１１０の機能を有していてもよい。この場合、減算器１０３から出力される同相信号Ｓ３及び直角位相信号Ｓ４は複素トランスバーサル相関器１１７に直接入力する構成となる。
【００３６】
（第３実施形態）
無線通信装置Ａは、第１実施形態に係るｎ次歪成分補償回路８１ａに替えて図４に示すｎ次歪成分補償回路８１ｃを用いてもよい。ｎ次歪成分補償回路８１ｃは、２次歪成分補償回路８１、４次歪成分補償回路８２及び６次歪成分補償回路８３等である。ｎ次歪成分補償回路８１ｃは、第１実施形態に係るｎ次歪成分補償回路８１ａの制御回路１０６に替えて制御回路１２０を含む。制御回路１２０は、第１実施形態に係る制御回路１０６のループフィルタ１１２に替えて平均化回路１２１を含む。また、第１実施形態に係るｎ次歪成分補償回路８１ａの識別器１０９及び減算器１１０が、減算器１０３から出力される同相信号Ｓ３及び直角位相信号Ｓ４に含まれるｎ次歪成分を抽出するのに対し、ｎ次歪成分補償回路８１ｃの制御回路１２０の識別器１０９及び減算器１１０は、減算器１０３に入力する同相信号Ｓ３及び直角位相信号Ｓ４に含まれるｎ次歪成分を抽出する。
【００３７】
第１実施形態に係るｎ次歪成分補償回路８１ａは、減算器１０３から出力される受信信号を用いてフィードバック制御を行うが、これに対し、ｎ次歪成分補償回路８１ｃは、減算器１０３に入力される受信信号を用いてフィードフォワード制御を行う。
【００３８】
以上の点を除けば、ｎ次歪成分補償回路８１ｃの構成は、第１実施形態に係るｎ次歪成分補償回路８１ａの構成と同様である。従って、第３実施形態において、ｎ次歪成分補償回路８１ｃに入力する同相信号Ｓ３及び直角位相信号Ｓ４が、送信アンテナ１から送信され受信アンテナ２を介してダイレクト変換受信機４に入力される受信信号から生成されるｎ次歪成分を含んでいる場合には、この生成されるｎ次歪成分が同相信号Ｓ３及び直角位相信号Ｓ４から除去可能となる。
【００３９】
なお、複素相関器１１１は、識別器１０９及び減算器１１０の機能を有していてもよい。この場合、減算器１０３に入力する同相信号Ｓ３及び直角位相信号Ｓ４は複素相関器１１１に直接入力する構成となる。
【００４０】
（第４実施形態）
無線通信装置Ａは、第１実施形態に係るｎ次歪成分補償回路８１ａに替えて図５に示すｎ次歪成分補償回路８１ｄを用いてもよい。ｎ次歪成分補償回路８１ｄは、２次歪成分補償回路８１、４次歪成分補償回路８２及び６次歪成分補償回路８３等である。第２実施形態に係るｎ次歪成分補償回路８１ｂの識別器１０９及び減算器１１０が、減算器１０３から出力される同相信号Ｓ３及び直角位相信号Ｓ４に含まれるｎ次歪成分を抽出するのに対し、ｎ次歪成分補償回路８１ｄの識別器１０９及び減算器１１０は、減算器１０３に入力する同相信号Ｓ３及び直角位相信号Ｓ４に含まれるｎ次歪成分を抽出する。
【００４１】
第２実施形態に係るｎ次歪成分補償回路８１ｂは、減算器１０３から出力される受信信号を用いてフィードバック制御を行うが、これに対し、ｎ次歪成分補償回路８１ｄは、減算器１０３に入力される受信信号を用いてフィードフォワード制御を行う。
【００４２】
以上の点を除けば、ｎ次歪成分補償回路８１ｄの構成は、第２実施形態に係るｎ次歪成分補償回路８１ｂの構成と同様である。従って、第４実施形態において、ｎ次歪成分補償回路８１ｄに入力する同相信号Ｓ３及び直角位相信号Ｓ４が、送信アンテナ１から送信され受信アンテナ２を介してダイレクト変換受信機４に入力される受信信号から生成されるｎ次歪成分を含んでいる場合には、この生成されるｎ次歪成分が同相信号Ｓ３及び直角位相信号Ｓ４から除去可能となる。
【００４３】
なお、複素トランスバーサル相関器１１７は、識別器１０９及び減算器１１０の機能を有していてもよい。この場合、減算器１０３に入力する同相信号Ｓ３及び直角位相信号Ｓ４は複素トランスバーサル相関器１１７に直接入力する構成となる。
【００４４】
（第５実施形態）
無線通信装置Ａは、第１実施形態に係るｎ次歪成分補償回路８１ａに替えて図６に示すｎ次歪成分補償回路８１ｅを用いてもよい。ｎ次歪成分補償回路８１ｅは、２次歪成分補償回路８１、４次歪成分補償回路８２及び６次歪成分補償回路８３等である。第５実施形態は、無線通信装置Ａの送信回路Ａ１及び受信回路Ａ２が、共にＣＤＭＡ方式（特に、ＦＤＤ−ＣＤＭＡ方式）（FDD:Frequency Division Duplex、CDMA:Code Division Multiple Access）に基づいて信号の送受信を行う場合に該当する。第５実施形態に係る送信回路Ａ１は、ＣＤＭＡ方式で用いる所定の拡散コードを用いて拡散処理した信号を無線送信し、受信回路Ａ２は、上記の拡散コードを用いて拡散処理された信号を無線受信する。
【００４５】
ｎ次歪成分補償回路８１ｅは、抽出回路１２２、減算器１０３及び遅延回路１２３を有する。抽出回路１２２は、送信ｎ乗成分抽出回路１２４、利得制御回路１２５及びミキサ１２６を有する。
【００４６】
送信ｎ乗成分抽出回路１２４は、受信アンテナ２を介してダイレクト変換受信機４に入力される受信信号（同相信号Ｓ３及び直角位相信号Ｓ４）から、この受信信号に含まれるｎ次歪成分（ｎ乗成分）を、送信回路Ａ１から入力される拡散コードを用いて抽出する。送信ｎ乗成分抽出回路１２４は、まず、送信回路Ａ１から入力される拡散コードのｎ乗成分を生成する。そして、送信ｎ乗成分抽出回路１２４は、この拡散コードのｎ乗成分を用いて受信信号（同相信号Ｓ３及び直角位相信号Ｓ４）を逆拡散する。送信ｎ乗成分抽出回路１２４は、この逆拡散後の受信信号から、この受信信号に含まれているｎ次歪成分を抽出し、この抽出したｎ次歪成分を、上記の拡散コードのｎ乗成分を用いて拡散する。そして、送信ｎ乗成分抽出回路１２４は、この拡散後のｎ次歪成分をミキサ１２６に出力する。また、送信ｎ乗成分抽出回路１２４は、上記の逆拡散後の受信信号に含まれるｎ次歪成分を利得制御回路１２５に出力する。
【００４７】
利得制御回路１２５は、送信ｎ乗成分抽出回路１２４から入力されるｎ次歪成分の振幅に基づいて、送信ｎ乗成分抽出回路１２４からミキサ１２６に出力される拡散後のｎ次歪成分の振幅が遅延回路１２３から減算器１０３に出力される同相信号Ｓ３及び直角位相信号Ｓ４の振幅と同様になるように、この送信ｎ乗成分抽出回路１２４からミキサ１２６に出力される拡散後のｎ次歪成分の振幅を調整するための制御信号（ミキサ１２６に対する制御信号）を生成し、この制御信号をミキサ１２６に出力する。ミキサ１２６は、利得制御回路１２５から入力される上記の制御信号に基づいて、送信ｎ乗成分抽出回路１２４から入力される拡散後のｎ次歪成分の利得を調整し、この利得調整後のｎ次歪成分を減算器１０３に出力する。
【００４８】
遅延回路１２３は、抽出回路１２２により抽出されたｎ次歪成分を所定時間（信号が波形整形フィルタ７から出力されてから、送信アンテナ１、受信アンテナ２、ダイレクト変換受信機４及びＡ／Ｄ変換回路６を介してｎ次歪成分補償回路８１ｅに入力されるまでの時間に相当）だけ遅延させて出力する。抽出回路１２２から減算器１０３に入力されるｎ次歪成分の入力タイミングは、遅延回路１２３によって遅延されて減算器１０３に入力される同相信号Ｓ３及び直角位相信号Ｓ４の入力タイミングと同様となる。減算器１０３は、遅延回路１２３から入力される同相信号Ｓ３及び直角位相信号Ｓ４から、抽出回路１２２により抽出されるｎ次歪成分を減算する。
【００４９】
以上により、第５実施形態において、ＣＤＭＡ方式に基づく無線通信装置Ａのｎ次歪成分補償回路８１ｅに入力する同相信号Ｓ３及び直角位相信号Ｓ４が、送信アンテナ１から送信され受信アンテナ２を介してダイレクト変換受信機４に入力される受信信号から生成されるｎ次歪成分を含んでいる場合には、拡散コードを用いて、この生成されるｎ次歪成分が同相信号Ｓ３及び直角位相信号Ｓ４から除去可能となる。
【００５０】
なお、抽出回路１２２は、利得制御回路１２５を有しているとしたが、利得制御回路１２５を有さなくとも、送信ｎ乗成分抽出回路１２４からミキサ１２６に出力される拡散後のｎ次歪成分の振幅は、遅延回路１２３から減算器１０３に出力される同相信号Ｓ３及び直角位相信号Ｓ４の振幅と同様となる。利得制御回路１２５は、送信ｎ乗成分抽出回路１２４からミキサ１２６に出力される拡散後のｎ次歪成分の振幅を微調整するために用いることができる。
【００５１】
（第６実施形態）
無線通信装置Ａは、第１実施形態に係るｎ次歪成分補償回路８１ａに替えて図７に示すｎ次歪成分補償回路８１ｆを用いてもよい。ｎ次歪成分補償回路８１ｆは、２次歪成分補償回路８１、４次歪成分補償回路８２及び６次歪成分補償回路８３等である。第６実施形態は、無線通信装置Ａの送信回路Ａ１及び受信回路Ａ２が、共にＣＤＭＡ方式（特に、ＦＤＤ−ＣＤＭＡ方式）に基づいて信号の送受信を行う場合に該当する。第６実施形態に係る送信回路Ａ１は、ＣＤＭＡ方式で用いる所定の拡散コードを用いて拡散処理した信号を無線送信し、受信回路Ａ２は、上記の拡散コードを用いて拡散処理された信号を無線受信する。
【００５２】
ｎ次歪成分補償回路８１ｆは、ｎ乗器１０１、整形回路１２７及び減算器１０３を有する。ｎ乗器１０１は、送信回路Ａ１において生成される送信信号（波形整形フィルタ７から出力される同相信号Ｓ１及び直角位相信号Ｓ２）からこれらの信号のｎ次歪成分（ｎ乗成分）を生成する。整形回路１２７は、ｎ乗器１０１により生成されるｎ次歪成分を整形する。減算器１０３は、整形回路１２７による整形後のｎ次歪成分を、ｎ次歪成分補償回路８１ｆに入力される受信信号（同相信号Ｓ３及び直角位相信号Ｓ４）から減算する。
【００５３】
整形回路１２７は、調整回路１１４、複素トランスバーサルフィルタ１１５及び制御回路１２８を有する。調整回路１１４は、受信帯域幅制限フィルタ１０７を含む。受信帯域幅制限フィルタ１０７は、予め設定されたパラメータに基づいて、ｎ乗器１０１により生成されたｎ次歪成分（同相信号Ｓ１及び直角位相信号Ｓ２それぞれのｎ次歪成分）の振幅及び位相を調整する。複素トランスバーサルフィルタ１１５は、制御回路１２８の制御に基づいて、調整回路１１４から出力される調整後のｎ次歪成分の振幅及び位相を更に調整すると共にこの更なる調整後のｎ次歪成分を遅延させて減算器１０３に出力する。
【００５４】
制御回路１２８は、送信回路Ａ１から入力される拡散コードと、減算器１０３から出力される受信信号（同相信号Ｓ３及び直角位相信号Ｓ４）とを用いて、ｎ次歪成分の振幅及び位相に対する複素トランスバーサルフィルタ１１５の調整処理と、このｎ次歪成分に対する複素トランスバーサルフィルタ１１５の遅延処理とを制御するための制御信号を生成し、この生成した制御信号を複素トランスバーサルフィルタ１１５に出力する。
【００５５】
制御回路１２８は、送信ｎ乗成分サーチャ１２９及びタップ係数制御回路１１８を有する。送信ｎ乗成分サーチャ１２９は、送信回路Ａ１から入力される拡散コードと、減算器１０３から出力される同相信号Ｓ３及び直角位相信号Ｓ４とを用いて、この同相信号Ｓ３及び直角位相信号Ｓ４に含まれるｎ次歪成分を抽出する。タップ係数制御回路１１８は、送信ｎ乗成分サーチャ１２９により抽出されるｎ次歪成分に基づいて、複素トランスバーサルフィルタ１１５（複素トランスバーサルフィルタ１１５におけるタップ係数）を制御するための制御パラメータを調整し、この調整後の制御パラメータを含む制御信号（複素トランスバーサルフィルタ１１５の調整処理及び遅延処理を制御するための制御信号）を、複素トランスバーサルフィルタ１１５に出力する。
【００５６】
複素トランスバーサルフィルタ１１５は、タップ係数制御回路１１８からの制御信号に基づいて、複素トランスバーサルフィルタ１１５から減算器１０３に入力されるｎ次歪成分の振幅及び位相と入力タイミングとが、Ａ／Ｄ変換回路６から減算器１０３に入力される歪成分（ｎ次歪成分）の振幅及び位相と入力タイミングと同様となるように、複素トランスバーサルフィルタ１１５から減算器１０３に入力されるｎ次歪成分の振幅及び位相と入力タイミングとを調整する。
【００５７】
このように、複素トランスバーサルフィルタ１１５から減算器１０３に入力されるｎ次歪成分（同相信号Ｓ１及び直角位相信号Ｓ２）の振幅及び位相と入力タイミングとは、調整回路１１４及び複素トランスバーサルフィルタ１１５による振幅及び位相の調整処理と遅延処理とによって、Ａ／Ｄ変換回路６から減算器１０３に入力される同相信号Ｓ３及び直角位相信号Ｓ４のｎ次歪成分の振幅及び位相と入力タイミングと同様となる。
【００５８】
以上により、第６実施形態において、ＣＤＭＡ方式に基づく無線通信装置Ａのｎ次歪成分補償回路８１ｆに入力する同相信号Ｓ３及び直角位相信号Ｓ４が、送信アンテナ１から送信され受信アンテナ２を介してダイレクト変換受信機４に入力される受信信号から生成されるｎ次歪成分を含んでいる場合には、拡散コードを用いて、この生成されるｎ次歪成分が同相信号Ｓ３及び直角位相信号Ｓ４から除去可能となる。
【００５９】
（第７実施形態）
無線通信装置Ａは、第１実施形態に係るｎ次歪成分補償回路８１ａに替えて図８に示すｎ次歪成分補償回路８１ｇを用いてもよい。ｎ次歪成分補償回路８１ｇは、２次歪成分補償回路８１、４次歪成分補償回路８２及び６次歪成分補償回路８３等である。第６実施形態に係るｎ次歪成分補償回路８１ｆの送信ｎ乗成分サーチャ１２９が、減算器１０３から出力される同相信号Ｓ３及び直角位相信号Ｓ４に含まれるｎ次歪成分を抽出するのに対し、ｎ次歪成分補償回路８１ｇの送信ｎ乗成分サーチャ１２９は、減算器１０３に入力する同相信号Ｓ３及び直角位相信号Ｓ４に含まれるｎ次歪成分を抽出する。
【００６０】
第６実施形態に係るｎ次歪成分補償回路８１ｆは、減算器１０３から出力される受信信号を用いてフィードバック制御を行うが、これに対し、ｎ次歪成分補償回路８１ｇは、減算器１０３に入力される受信信号を用いてフィードフォワード制御を行う。
【００６１】
以上の点を除けば、ｎ次歪成分補償回路８１ｇの構成は、第６実施形態に係るｎ次歪成分補償回路８１ｆの構成と同様である。従って、第７実施形態において、ＣＤＭＡ方式に基づく無線通信装置Ａのｎ次歪成分補償回路８１ｇに入力する同相信号Ｓ３及び直角位相信号Ｓ４が、送信アンテナ１から送信され受信アンテナ２を介してダイレクト変換受信機４に入力される受信信号から生成されるｎ次歪成分を含んでいる場合には、拡散コードを用いて、この生成されるｎ次歪成分が同相信号Ｓ３及び直角位相信号Ｓ４から除去可能となる。
【００６２】
次に、実施形態に係る無線通信装置Ａの作用効果を説明する。第１〜第４の実施形態と第６及び第７の実施形態とにおいて、無線通信装置Ａは、信号を無線送信する送信回路Ａ１と、信号を無線受信する受信回路Ａ２とを備える。受信回路Ａ２は、送信回路Ａ１から無線送信され受信回路Ａ２において無線受信された信号（送信回路Ａ１から受信回路Ａ２への廻り込み信号）から受信回路Ａ２内で生成される歪成分を、受信回路Ａ２において無線受信される受信信号から除去する偶次歪成分補償回路８（ｎ次歪成分補償回路８１ａ〜８１ｄ，８１ｆ，８１ｇ）を有する。偶次歪成分補償回路８は、ｎ乗器１０１、整形回路１０２（又は、整形回路１１３、整形回路１１９、整形回路１２７）及び減算器１０３を有する。ｎ乗器１０１は、送信回路Ａ１において生成される送信用の信号からこの信号のｎ次歪成分を生成する。整形回路１０２（又は、整形回路１１３、整形回路１１９、整形回路１２７）は、ｎ乗器１０１により生成されるｎ次歪成分を整形する。減算器１０３は、整形回路１０２（又は、整形回路１１３、整形回路１１９、整形回路１２７）による整形後のｎ次歪成分を受信回路Ａ２において受信された受信信号から減算（除去）する。
【００６３】
また、第５の実施形態における無線通信装置Ａは、所定の拡散コードを用いて拡散処理された信号を無線送信する送信回路Ａ１と、この拡散コードを用いて拡散処理された信号を無線受信する受信回路Ａ２とを備える。受信回路Ａ２は、送信回路Ａ１から無線送信され受信回路Ａ２において無線受信された信号から受信回路Ａ２内で生成される歪成分を、受信回路Ａ２において無線受信される受信信号から除去する偶次歪成分補償回路８（ｎ次歪成分補償回路８１ｅ）を有する。偶次歪成分補償回路８は、抽出回路１２２、遅延回路１２３及び減算器１０３を有する。抽出回路１２２は、上記の拡散コードを用いて、受信回路Ａ２において受信された受信信号からこの受信信号に含まれるｎ次歪成分を抽出する。遅延回路１２３は、抽出回路１２２により抽出されたｎ次歪成分を所定時間だけ遅延させて出力する。減算器１０３は、遅延回路１２３から出力されるｎ次歪成分を受信回路Ａ２において受信された受信信号から減算（除去）する。
【００６４】
従って、第１〜第７の実施形態における無線通信装置Ａによれば、送信回路Ａ１において生成される送信用の信号からｎ次歪成分を生成し、このｎ次歪成分を用いて受信信号に含まれる歪成分（送信回路Ａ１から受信回路Ａ２への廻り込み信号に含まれる歪成分）を除去できる。よって、送信回路Ａ１と受信回路Ａ２とを備えた無線通信装置Ａにおいて、受信回路Ａ２により受信される受信信号の品質劣化が抑制できる。更に、送信アンテナ１と受信アンテナ２とを、送信回路Ａ１から送信される信号が受信回路Ａ２により受信されないように配置する必要がないので、送信アンテナ１と受信アンテナ２の配置が柔軟に行える。更に、高次の歪成分が生じないようなアンプやミキサを備える必要がないので、アンプやミキサ等の製造に要するコストが抑制できる。
【００６５】
更に、第１及び第３の実施形態において、整形回路１０２（又は整形回路１１９）は、調整回路１０４、複素係数器１０５及び制御回路１０６（又は制御回路１２０）を有している。調整回路１０４は、予め設定されたパラメータに基づいて、ｎ次歪成分の振幅及び位相を調整すると共にこの調整後のｎ次歪成分を所定時間だけ遅延させて出力する。複素係数器１０５は、調整回路１０４から出力されるｎ次歪成分の振幅及び位相を調整する調整処理を、制御回路１０６（又は制御回路１２０）からの制御信号に基づいて行う。制御回路１０６（又は制御回路１２０）は、受信回路Ａ２において受信された受信信号に基づいてこの制御信号を生成し、この生成した制御信号を複素係数器１０５に出力する。
【００６６】
第２及び第４の実施形態において、整形回路１１３は、調整回路１１４、複素トランスバーサルフィルタ１１５及び制御回路１１６を有している。調整回路１１４は、ｎ次歪成分の振幅及び位相を、予め設定されたパラメータに基づいて調整する。複素トランスバーサルフィルタ１１５は、調整回路１１４から出力される調整後のｎ次歪成分の振幅及び位相を調整する調整処理と、この調整後のｎ次歪成分を遅延させて出力する遅延処理とを、制御回路１１６からの制御信号に基づいて行う。制御回路１１６は、受信回路Ａ２において受信された受信信号に基づいてこの制御信号を生成し、この生成した制御信号を複素トランスバーサルフィルタ１１５に出力する。
【００６７】
第６及び第７の実施形態において、送信回路Ａ１は、所定の拡散コードを用いて拡散処理された信号を無線送信し、受信回路Ａ２が、この拡散コードにより拡散処理された信号を無線受信する。整形回路１２７は、調整回路１１４、複素トランスバーサルフィルタ１１５及び制御回路１２８を有している。調整回路１１４は、ｎ次歪成分の振幅及び位相を、予め設定されたパラメータに基づいて調整する。複素トランスバーサルフィルタ１１５は、調整回路１１４から出力される調整後のｎ次歪成分の振幅及び位相を調整する調整処理と、この調整後のｎ次歪成分を遅延させて出力する遅延処理とを、制御回路１２８からの制御信号に基づいて行う。制御回路１２８は、この制御信号を、拡散コードと受信回路Ａ２において受信された受信信号とに基づいて生成し、この生成した制御信号を複素トランスバーサルフィルタ１１５に出力する。
【００６８】
更に、第１〜第４の実施形態と、第６及び第７の実施形態とにおいて、受信回路Ａ２において受信された受信信号は、減算器１０３に入力する受信信号又は減算器１０３から出力される受信信号の何れかであるのが好ましい。このように、減算器１０３に入力する受信信号を用いてフィードフォワード制御を行ってもよいし（第３、第４及び第７の実施形態）、減算器１０３から出力される受信信号を用いてフィードバック制御を行ってもよい（第１、第２及び第６の実施形態）。
【図面の簡単な説明】
【００６９】
【図１】実施形態に係る無線通信装置の構成を示す図である。
【図２】実施形態に係るｎ次歪成分補償回路の構成を示す図である。
【図３】実施形態に係るｎ次歪成分補償回路の他の構成を示す図である。
【図４】実施形態に係るｎ次歪成分補償回路の他の構成を示す図である。
【図５】実施形態に係るｎ次歪成分補償回路の他の構成を示す図である。
【図６】実施形態に係るｎ次歪成分補償回路の他の構成を示す図である。
【図７】実施形態に係るｎ次歪成分補償回路の他の構成を示す図である。
【図８】実施形態に係るｎ次歪成分補償回路の他の構成を示す図である。
【符号の説明】
【００７０】
Ａ…無線通信装置、Ａ１…送信回路、Ａ２…受信回路、１…送信アンテナ、１０，１０９…識別器、１０１…ｎ乗器、１０２，１１３，１１９，１２７…整形回路、１０３，１１０…減算器、１０４，１１４…調整回路、１０５…複素係数器、１０６，１１６，１２０，１２８…制御回路、１０７…受信帯域幅制限フィルタ、１０８，１２３…遅延回路、１１１…複素相関器、１１２…ループフィルタ、１１５…複素トランスバーサルフィルタ、１１７…複素トランスバーサル相関器、１１８…タップ係数制御回路、１２１…平均化回路、１２２…抽出回路、１２４…送信ｎ乗成分抽出回路、１２５…利得制御回路、１２６…ミキサ、１２９…送信ｎ乗成分サーチャ、２…受信アンテナ、３…送信機、４…ダイレクト変換受信機、４ａ…アンプ、４ｃ…ＬＰＦ、４ｂ…ミキサ、５…Ｄ／Ａ変換回路、６…Ａ／Ｄ変換回路、７…波形整形フィルタ、８…偶次歪成分補償回路、８１…ｎ次歪成分補償回路、８１ａ，８１ｂ，８１ｃ，８１ｄ，８１ｅ，８１ｆ，８１ｇ…ｎ次歪成分補償回路、８２…４次歪成分補償回路、８３…６次歪成分補償回路、９…符号器
【図１】
0004391552.tif 000002
【図２】
0004391552.tif 000003
【図３】
0004391552.tif 000004
【図４】
0004391552.tif 000005
【図５】
0004391552.tif 000006
【図６】
0004391552.tif 000007
【図７】
0004391552.tif 000008
【図８】
0004391552.tif 000009